(57)【要約】【課題】操作体の部品コストの上昇を抑え、ユーザーに安価に提供できる多芯筆記具を得る。【解決手段】軸筒２の軸心に軸方向に延びる軸部４を設ける。軸部４の他端を径方向に変位可能に設ける。径方向に変位可能な軸部４端部の外周面に係止部４１及び規制部４２を径方向に突設する。係止部４１と規制部４２との間の軸部４に筒体５を径方向に変位可能に取り付ける。一つの筆記体７のペン先７１が前端孔２１ａより突出状態にあるとき、そのペン先突出状態にある筆記体７の操作体８が、係止部４１に係止される。ペン先没入状態にある他の筆記体７の操作体８を前方にスライド操作したとき、他の筆記体７の操作体８が係止部４１または筒体５を径方向に変位させることにより、先にペン先突出状態にある筆記体７の操作体８と係止部４１との係止状態を解除する。【選択図】  図４
2010036535.tif 000002
【特許請求の範囲】
【請求項１】
軸筒内に複数の筆記体を前後方向に移動可能に収容し、前記各々の筆記体を弾発体により後方に付勢し、前記各々の筆記体の後端に操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させる多芯筆記具であって、
前記軸筒の軸心に、軸方向に延びる軸部を設け、
前記軸部の一端を軸筒の内壁に固定し、前記軸部の他端を径方向に変位可能に設け、
前記径方向に変位可能な軸部端部の外周面に係止部を径方向に突設し、
前記係止部より前方の軸部の外周面に規制部を径方向に突設し、
前記係止部と前記規制部との間の軸部に筒体を取り付け、前記筒体を軸部に対して径方向に変位可能に設け、
一つの筆記体のペン先が前端孔より突出状態にあるとき、そのペン先突出状態にある筆記体の後端に連結された操作体が、前記係止部に係止され、
この状態から、ペン先没入状態にある他の筆記体の後端に連結された操作体を前方にスライド操作したとき、前記前方にスライド操作した他の筆記体の操作体が、前記係止部または前記筒体に接触するとともに前記係止部または前記筒体を径方向に変位させることにより、先にペン先突出状態にある筆記体の後端に連結された操作体と前記係止部との係止状態を解除してなることを特徴とする多芯筆記具。
【請求項２】
前記各々の操作体が、軸筒の窓孔より径方向外方に突出する操作部と、該操作部の径方向内方に位置する第１の解除突起と、前記操作部の径方向内方に位置し且つ前記第１の解除突起より前方に位置する第２の解除突起とを備え、一つの筆記体のペン先が前端孔より突出状態にあるとき、前記ペン先突出状態にある筆記体の後端に連結された操作体が係止部に係止されるとともに、前記ペン先突出状態にある筆記体の後端に連結された操作体の第１の解除突起が、前記係止部と前記規制部との間に配置される請求項１記載の多芯筆記具。
【請求項３】
前記軸筒内壁に、前記各々の筆記体を後方に付勢する弾発体を支持し且つ前記各々の筆記体が挿通可能な内孔が貫通された弾発体支持体を固定し、前記弾発体支持体の後端軸心に前記軸部の前端を固定し、前記弾発体支持体の後端より前記軸部を後方に突出させ、前記軸部の後端部に前記係止部及び前記規制部を一体に形成し、前記係止部の外面または前記規制部の外面のいずれかを筒体の内面が乗り越えることにより、前記筒体が前記係止部と前記規制部との間に取り付けられる請求項１または２記載の多芯筆記具。
【請求項４】
筆記体の後端に操作体が連結された状態で、筆記体を軸筒内から取り出し可能且つ軸筒内に挿入可能であり、軸筒内に４本以上の筆記体が収容される請求項１、２または３記載の多芯筆記具。
【発明の詳細な説明】
【技術分野】
【０００１】
本発明は、多芯筆記具に関する。詳細には、軸筒内に複数の筆記体を収容し、前記各々の筆記体のペン先を選択的に出没させる多芯筆記具に関する。
【背景技術】
【０００２】
従来この種の多芯筆記具において、特許文献１には、ペン先没入状態にある筆記体を前方に移動させることによって揺動部材のカム部を径方向に移動させ、それにより、先にペン先突出状態にある筆記体のスライダーとノック筒体の先端との係止状態を解除する構造が記載されている。さらに、特許文献１には、各々のスライダーが、前記カム部と係合可能で且つ互いに異なる方向へカム部を揺動させるカム面を２つ有することが記載されている。
【特許文献１】特開平１１−１８００９２号公報
【発明の開示】
【発明が解決しようとする課題】
【０００３】
前記特許文献１の多芯筆記具は、各々のスライダー（本願の操作体に相当）が、２つのカム面を有するため、スライダーの構造が特殊な形状となり、一般的な形状の操作体（即ち操作体同士が直接当接してペン先突出状態を解除するタイプ）を採用することが困難となり、その結果、操作体の部品コストが上昇するおそれがある。
【０００４】
また、従来の多芯筆記具において、一般に、軸筒内に収容する筆記体の本数が多くなるに従い、軸筒の外径も大きくなり、その結果、操作体の径方向の長さ（即ち操作部と解除突起との径方向の距離）も長くなり、筆記体の収容本数の比較的少ない多芯筆記具（例えば筆記体の収容本数が２本〜３本の多芯筆記具）と、筆記体の収容本数の多い多芯筆記具（例えば筆記体の収容本数が４本〜５本の多芯筆記具）とでは、操作体の形状を共通にすることは困難であった。
【０００５】
本発明は、前記従来の問題点を解決するものであって、一般的な形状の操作体を採用でき、しかも、筆記体の収容本数の多い多芯筆記具であっても筆記体の収容本数の少ない多芯筆記具と操作体の形状を共通にでき、その結果、操作体の部品コストの上昇を抑え、ユーザーに安価に提供できる多芯筆記具を得ようとするものである。尚、本発明において、「前」とはペン先側を指し、「後」とは反対側を指す。
【課題を解決するための手段】
【０００６】
［１］本願の第１の発明は、軸筒２内に複数の筆記体７を前後方向に移動可能に収容し、前記各々の筆記体７を弾発体９により後方に付勢し、前記各々の筆記体７の後端に操作体８を連結し、軸筒２の側壁に前後方向に延びる複数の窓孔２２ａを径方向に貫設し、前記各々の窓孔２２ａから径方向外方に前記各々の操作体８を突出させ、一つの操作体８を窓孔２２ａに沿って前方にスライドさせることにより、その一つの操作体８に連結された筆記体７のペン先７１を軸筒２の前端孔２１ａから突出させるとともに、先に突出状態にあった他の筆記体７のペン先７１を軸筒２内に没入させる多芯筆記具であって、前記軸筒２の軸心に、軸方向に延びる軸部４を設け、前記軸部４の一端を軸筒２の内壁に固定し、前記軸部４の他端を径方向に変位可能に設け、前記径方向に変位可能な軸部４端部の外周面に係止部４１を径方向に突設し、前記係止部４１より前方の軸部４の外周面に規制部４２を径方向に突設し、前記係止部４１と前記規制部４２との間の軸部４に筒体５を取り付け、前記筒体５を軸部４１に対して径方向に変位可能に設け、一つの筆記体７のペン先７１が前端孔２１ａより突出状態にあるとき、そのペン先突出状態にある筆記体７の後端に連結された操作体８が、前記係止部４１に係止され、この状態から、ペン先没入状態にある他の筆記体７の後端に連結された操作体８を前方にスライド操作したとき、前記前方にスライド操作した他の筆記体７の操作体８が、前記係止部４１または前記筒体５に接触するとともに前記係止部４１または前記筒体５を径方向に変位させることにより、先にペン先突出状態にある筆記体７の後端に連結された操作体８と前記係止部４１との係止状態を解除してなることを要件とする。
【０００７】
前記第１の発明の多芯筆記具１は、操作体８を特殊な形状とする必要がなく、一般的な形状の操作体８を採用でき、一般的な形状の操作体８を採用した他の多芯筆記具と操作体８を共通にでき、しかも、筆記体７の収容本数が比較的多く且つ軸筒２の外径が比較的大きい多芯筆記具であっても、筆記体７の収容本数が比較的少なく且つ軸筒２の外径が比較的小さい多芯筆記具と操作体８を共通にできる。したがって、前記第１の発明の多芯筆記具１は、操作体８の部品コストの上昇を抑え、ユーザーに安価に提供できる。
【０００８】
［２］本願の第２の発明は、前記第１の発明において、前記各々の操作体８が、軸筒２の窓孔２２ａより径方向外方に突出する操作部８１と、該操作部８１の径方向内方に位置する第１の解除突起８２と、前記操作部８１の径方向内方に位置し且つ前記第１の解除突起８２より前方に位置する第２の解除突起８３とを備え、一つの筆記体７のペン先７１が前端孔２１ａより突出状態にあるとき、前記ペン先突出状態にある筆記体７の後端に連結された操作体８が係止部４１に係止されるとともに、前記ペン先突出状態にある筆記体７の後端に連結された操作体８の第１の解除突起８２が、前記係止部４１と前記規制部４２との間に配置されることを要件とする。
【０００９】
前記第２の発明の多芯筆記具１によれば、ペン先突出状態にある筆記体７の後端に連結された操作体８の第１の解除突起８２が、前記係止部４１と前記規制部４２との間に配置されることにより、ペン先突出状態にある筆記体７の後端に連結された操作体８と係止部４１との適正な係止状態が維持される。
【００１０】
［３］本願の第３の発明は、前記第１または第２の発明において、前記軸筒２内壁に、前記各々の筆記体７を後方に付勢する弾発体９を支持し且つ前記各々の筆記体７が挿通可能な内孔３１が貫通された弾発体９支持体３を固定し、前記弾発体支持体３の後端軸心に前記軸部４の前端を固定し、前記弾発体支持体３の後端より前記軸部４を後方に突出させ、前記軸部４の後端部に前記係止部４１及び前記規制部４２を一体に形成し、前記係止部４１の外面または前記規制部４２の外面のいずれかを筒体５の内面が乗り越えることにより、前記筒体５が前記係止部４１と前記規制部４２との間に取り付けられることを要件とする。
【００１１】
前記第３の発明の多芯筆記具１は、部品点数の増加及び組立工程の増加をできる限り抑え、製造コストの上昇を防止できる。
【００１２】
［４］本願の第４の発明は、前記第１、第２または第３の発明において、筆記体７の後端に操作体８が連結された状態で、筆記体７を軸筒２内から取り出し可能且つ軸筒２内に挿入可能であり、軸筒２内に４本以上の筆記体７が収容されることを要件とする。
【００１３】
前記第４の発明の多芯筆記具１は、筆記体７の後端に操作体８が連結された状態で、筆記体７を軸筒２内から取り出し可能且つ軸筒２内に挿入可能であり、軸筒２内に４本以上の筆記体７が収容されることにより、２本または３本の筆記体７のみを収容可能な軸筒２を備えた多芯筆記具と、共通の形状の操作体８を使用できるため、操作体８が連結された状態で筆記体７を交換する際、操作体８の形状の種類を区別する必要がなくなり、筆記体７の交換作業が容易となる。
【００１４】
尚、本発明で、筆記体７とは、例えば、ボールペン、マーキングペン、シャープペンシル等が挙げられる。尚、本発明で、軸筒２は、筆記体７のペン先７１が突出可能な前端孔２１ａを備えた前軸と、側壁に窓孔２２ａを備える後軸とからなる構成でもよい。また、本発明で、軸筒２内に収容する筆記体７の本数は、２本以上であればよく、具体的には、２本、３本、４本、５本、６本等が挙げられる。本発明の多芯筆記具では、２本または３本の筆記体のみを収容可能な軸筒を備えた多芯筆記具と操作体を共通にできる点で、軸筒２内に収容する筆記体の本数は４本以上が好ましい。
【発明の効果】
【００１５】
本発明は、一般的な形状の操作体を採用でき、しかも、筆記体の収容本数の多い多芯筆記具であっても筆記体の収容本数の少ない多芯筆記具と操作体の形状を共通にでき、その結果、操作体の部品コストの上昇を抑え、ユーザーに安価に提供できる。
【発明を実施するための最良の形態】
【００１６】
図１乃至図１４に本発明の実施の形態を示す。
本実施の形態の多芯筆記具１は、軸筒２内に複数本（具体的には４本）の筆記体７が前後方向に移動可能に収容されている。前記各々の筆記体７は、弾発体９（具体的には圧縮コイルスプリング）により、後方に付勢されている。
【００１７】
（軸筒）
前記軸筒２は、先細円筒状の前軸２１と、該前軸２１の後端に接続される円筒状の後軸２２とからなる。本実施の形態では、前記弾発体支持体３の前端が前記前軸２１の後端開口部に固着され、前記弾発体支持体３の後端が前記後軸２２の前端開口部に固着される。前記弾発体支持体３によって、前記前軸２１の後端と、前記後軸２２の前端とが接続される。
【００１８】
前記前軸２１の前端軸心には、各々の筆記体７のペン先７１が突出可能な前端孔２１ａが軸方向に貫設される。前記前軸２１及び後軸２２は、合成樹脂（例えば、ポリカーボネイト等）の射出成形により得られる。
【００１９】
前記後軸２２の後部の側壁には、複数本（具体的には４本）の前後方向に延びる細長状の窓孔２２ａが、径方向に貫設される。前記４本の窓孔２２ａは、互いに、円周方向に９０度回転した位置に形成される。前記窓孔２２ａと窓孔２２ａの間の後軸２２の一つの側壁には、クリップ２２ｄが設けられる。
【００２０】
（蓋部）
前記各々の窓孔２２ａの後端は、軸筒２後端より後方に切り欠き状に開口する開口部２２ｂが形成される。前記軸筒２の後端（後軸２２の後端）には、前記開口部２２ｂを開閉自在にする蓋部６が設けられる。前記蓋部６は、ヒンジ部６３に回動自在に取り付けられる。前記蓋部６の前面には、当接壁部６１が形成される。前記当接壁部６１に、没入状態の筆記体７の後端に連結された各々の操作体８の後端が当接される。（図１１、図１２参照）
【００２１】
前記蓋部６の前面には、係合部６２（具体的には係合孔）が設けられ、前記後軸２２の後端には、前記係合部６２と係合可能な被係合部２２ｃ（具体的には係合突起）が設けられる。前記係合部６２と前記被係合部２２ｃとは、蓋部６が開口部２２ｂを閉鎖した際、互いに係合状態にあり、弾発体９の後方への付勢による操作体８と蓋部６前面の当接壁部６１との当接では、その係合状態は解除されず、蓋部６が開くことはない。
【００２２】
（弾発体支持体）
軸筒２の内壁（即ち前軸２１の後端開口部内壁及び後軸２２の前端開口部内壁）には、円筒状の弾発体支持体３が固着される。図１３及び図１４に示すように、前記弾発体支持体３は、筆記体７が挿通される複数（具体的には４個）の内孔３１が軸方向に貫設されている。前記弾発体支持体３の後面と、各々の操作体８の鍔部８５の前面との間には、弾発体９が配置される。前記各々の弾発体９の内部に筆記体７が遊挿されるとともに、各々の弾発体９の前端は弾発体支持体３の後面により係止され、各々の弾発体９の後端は操作体８の鍔部８５の前面に係止される。前記弾発体支持体３は、合成樹脂の射出成形から得られる。
【００２３】
また、弾発体支持体３の後面の各々の内孔３１の周囲には、後方に突出する筒状突出部よりなる保持部３２が形成される。前記各々の保持部３２の内面は、各々の弾発体９の前端部外面が圧入保持される。それにより、各々の筆記体７及び操作体８を交換する際、軸筒２内から開口部２２ｂを通して各々の弾発体９が脱落することを防止できる。
【００２４】
また、前記保持部３２の後端には、各々の弾発体９同士の接触を回避する隔壁３３が４本形成される。前記各々の隔壁３３は、前記保持部３２の後端より軸方向後方に延設される。
【００２５】
（軸部）
前記弾発体支持体３の後端面の軸心（即ち隔壁３３の後端面軸心）には、軸部４が固定される。具体的には、前記弾発体支持体３の後端面の軸心に取付孔３４が形成され、前記取付孔３４に軸部４の前端部に圧入固定される。前記軸部４は、合成樹脂または金属からなる軸方向に延びる棒状体であり、径方向に撓み変形可能（径方向に弾性変形可能）である。前記軸部４の前端部は、取付孔３４に圧入固定され、前記軸部４の後端部は、軸部４自体の撓み変形により径方向に変位可能である。前記軸部４の後端部外面には、環状突起（具体的には円板状突出部）からなる係止部４１と、該係止部４１の前方に配置される環状膨出部よりなる規制部４２とが一体に形成される。前記規制部４２の前面には、後方に向かうに従い次第に外径が大きくなる傾斜面４３が形成される。
【００２６】
（筒体）
前記係止部４１と前記規制部４２との間（即ち前記係止部４１前方且つ前記規制部４２後方）には、筒体５が径方向に移動可能に取り付けられる。前記筒体５は、合成樹脂または金属からなる円筒体からなり、内孔が軸方向に貫設される。前記軸部４を前記弾発体支持体３の後端面の軸心に固定する前に、前記筒体５の内孔に前記軸部４の前端が挿入され、前記規制部４２外面を前記筒体５が後方に乗り越えることにより、前記筒体５が前記係止部４１と前記規制部４２との間に取り付けられる。
【００２７】
前記筒体５の内径（即ち筒体５の内孔の内径）は、係止部４１の外径より小さく且つ規制部４２の外径より小さく形成される（即ち、筒体５の内径＜係止部４１の外径、且つ、筒体５の内径＜規制部４２の外径）。それにより、係止部４１後方及び規制部４２前方への筒体５の脱落が防止される。
【００２８】
前記筒体５の外径は、係止部４１の外径より小さく形成される。それにより、ペン先突出状態にある筆記体７に連結された操作体８の第１の解除突起８２が、前記係止部４１と前記規制部４２の間に収容され、前記第１の解除突起８２により筒体５が径方向外方に押圧された状態で（図６参照）、筒体５が径方向に係止部４１から大きくはみ出すことを防止でき、ペン先没入状態にある筆記体７に連結された他の操作体８の円滑な作動を妨げることがない。
【００２９】
前記筒体５の内孔の内径は、前記係止部４１と前記規制部４２との間の軸部４の外径より大きく形成される。それにより、前記係止部４１と前記規制部４２との間の軸部４は、前記筒体５の内孔に遊挿され、前記筒体５が、軸部４に対して径方向に変位可能（径方向に移動可能）に設けられる。
【００３０】
（弾発体）
前記各々の弾発体９は、各々の操作体８（即ち各々の筆記体７）を、常時、後方に付勢している。前記各々の弾発体９は、ペン先突出状態及びペン先没入状態のいずれにおいても圧縮状態（即ち筆記体７が後方に付勢された状態）にあり、それにより、各々の操作体８の前後のがたつきが防止される。
【００３１】
（筆記体）
前記各々の筆記体７は、ボールペンレフィルであり、前端にボールが回転可能に抱持されたボールペンチップ（即ちペン先７１）と、該ボールペンチップを前端に備え且つ後端が開口されたインキ収容管７２とからなる。前記インキ収容管７２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管７２内のインキの後端には、インキの消費に伴い前進する高粘度流体からなる追従体が充填される。
【００３２】
また、前記ボールペンチップは、前端に回転可能に抱持されたボールを弾発体等により前方に付勢し、前端縁部の内面にボールを密接させる構成でもよい。また、ボールペンチップは、インキ収容管７２の前端開口部に圧入等により直接、取り付けてもよいが、本実施の形態ではペン先ホルダーを介してインキ収容管７２の前端開口部に固着される。
【００３３】
（操作体）
前記各々の筆記体７の後端（即ちインキ収容管７２の後端開口部）には、操作体８が取り付けられる。前記各々の操作体８は、後端部に形成され且つ軸筒２の窓孔２２ａから外部に突出する操作部８１と、該操作部８１の径方向反対側に設けられる第１の解除突起８２と、該操作部８１の径方向反対側の第１の解除突起８２の前方に設けられる第２の解除突起８３と、前端部に形成され且つインキ収容管７２の後端開口部に嵌入される嵌入部８４と、該嵌入部８４の後方に形成される鍔部８５とを備える。前記嵌入部８４は、インキ収容管７２の後端開口部に嵌入された際、インキ収容管７２の後端開口部を完全には塞がず、インキ収容管７２の内部と外部とを通気可能にする。また、前記鍔部８５の前面には、弾発体９の後端が係止される。また、前記操作体の両方の側面には係止突起８６が形成される。前記係止突起８６は窓孔２２ａの両側壁に係合可能である。前記操作体８は、合成樹脂（例えば、ポリプロピレン樹脂、ＡＢＳ樹脂、ポリアセタール樹脂等）の成形体により得られる。
【００３４】
（ペン先没入状態）
筆記体７のペン先７１が没入状態のとき、その筆記体７に取り付けられた操作体８の後端部は、窓孔２２ａ後端（即ち蓋部６の前面）に形成された当接壁部６１に衝止される。
【００３５】
（ペン先突出状態）
一方、筆記体７のペン先７１が突出状態のとき、その筆記体７に取り付けられた操作体の後端部は、軸筒２の内壁に固定された軸部４の係止部４１（即ち係止部４１前面）に係止される。
【００３６】
（ペン先の出没作動）
本実施の形態におけるペン先７１の出没作動について説明する。
【００３７】
・解除操作１
図７及び図８に、先にペン先突出状態にある筆記体７に対し、隣接するペン先没入状態にある他の筆記体７（即ち先にペン先突出状態にある筆記体７に対して軸筒２の円周方向に９０度隔てた位置にある筆記体７）の操作体を前方に押圧操作する場合を示す。前記押圧操作した他の筆記体７の操作体の第２の解除突起８３の前面（即ち傾斜面状前面）が係止部４１の外周縁に当接し、係止部４１が軸筒２の軸心から径方向外方に押圧変位される。それにより、ペン先突出状態にある筆記体７の連結された操作体８と係止部４１との係止状態が解除される。前記押圧操作した他の筆記体７のペン先７１を突出させるには、さらに、押圧操作を続け、前記押圧操作した他の筆記体７に連結された操作体８が係止部４１に係止され、前記押圧操作した筆記体７のペン先７１が突出状態となる。
【００３８】
・解除操作２
図９及び図１０に、先にペン先突出状態にある筆記体７に対し、径方向反対側のペン先没入状態にある他の筆記体７（即ち先にペン先突出状態にある筆記体７に対して軸筒２の円周方向に１８０度隔てた位置にある筆記体７）の操作体８を前方に押圧操作する場合を示す。前記押圧操作した他の筆記体７の操作体の第１の解除突起８２が、係止部４１を前方に乗り越えた後、筒体５を径方向外方に押圧し、前記筒体５が、先にペン先突出状態にある筆記体７の操作体８の第１の解除突起８２を径方向外方に押圧する。それにより、係止ペン先突出状態にある筆記体７の連結された操作体８と係止部４１との係止状態が解除される。前記押圧操作した他の筆記体７のペン先７１を突出させるには、さらに、前記押圧操作を続け、押圧操作した他の筆記体７に連結された操作体８が係止部４１に係止され、前記押圧操作した筆記体７のペン先７１が突出状態となる。
【００３９】
（筆記体及び操作体の交換）
本実施の形態における筆記体７及び操作体８の交換について説明する。（図１１及び図１２参照）
筆記体７を交換する際、蓋部６が軸筒２の後端の開口部２２ｂを閉鎖した状態から、蓋部６のヒンジ部６３と反対側の操作端部を後方に押圧し、係合部６２と被係合部２２ｃとの係合を解除し、蓋部６を後方に回動させ、軸筒２の後端の開口部２２ｂを開口する。前記軸筒２の後端の開口部２２ｂが開口した状態で、操作体８を取り出すことにより、その操作体８と互いに連結状態にある筆記体７を前記開口部２２ｂを介して軸筒２内から取り出し、その後、互いに連結状態にある新たな筆記体７と新たな操作体８とを前記開口部２２ｂを介して軸筒２内に挿入する。そして、蓋部６の当接壁部６１に各々の操作体８を当接させ、各々の操作体８を前方に押圧しながら蓋部６を前方に回動させ、その後、係合部６２と被係合部２２ｃとを係合させ、開口部２２ｂを閉鎖する。これにより、筆記体７及び操作体８の交換作業が終了する。
【図面の簡単な説明】
【００４０】
【図１】本発明の多芯筆記具の実施の形態の正面図である。
【図２】図１の拡大平面図である。
【図３】図１の全てのペン先が没入状態の縦断面図である。
【図４】図３の要部拡大縦断面図である。
【図５】図１の多芯筆記具のペン先突出状態の縦断面図である。
【図６】図５の要部拡大縦断面図である。
【図７】解除操作１を説明するための、図２のＡ−Ｂ線に沿う縦断面図である。
【図８】解除操作１を説明する要部斜視図である。
【図９】解除操作２を説明するための、図２のＡ−Ｃ線に沿う縦断面図である。
【図１０】解除操作２を説明する要部斜視図である。
【図１１】図１の蓋部を開いた状態の要部側面図である。
【図１２】図１１の斜視図である。
【図１３】弾発体支持体の斜視図である。
【図１４】図１３の縦断面図である。
【符号の説明】
【００４１】
１  多芯筆記具
２  軸筒
２１  前軸
２１ａ  前端孔
２２  後軸
２２ａ  窓孔
２２ｂ  開口部
２２ｃ  被係合部
２２ｄ  クリップ
３  弾発体支持体
３１  内孔
３２  保持部
３３  隔壁
３４  取付孔
４  軸部
４１  係止部
４２  規制部
４３  傾斜面
５  筒体
６  蓋部
６１  当接壁部
６２  係合部
６３  ヒンジ部
７  筆記体
７１  ペン先
７２  インキ収容管
８  操作体
８１  操作部
８２  第１の解除突起
８３  第２の解除突起
８４  嵌入部
８５  鍔部
８６  係止突起
９  弾発体
【図１】
2010036535.tif 000003
【図２】
2010036535.tif 000004
【図３】
2010036535.tif 000005
【図４】
2010036535.tif 000006
【図５】
2010036535.tif 000007
【図６】
2010036535.tif 000008
【図７】
2010036535.tif 000009
【図８】
2010036535.tif 000010
【図９】
2010036535.tif 000011
【図１０】
2010036535.tif 000012
【図１１】
2010036535.tif 000013
【図１２】
2010036535.tif 000014
【図１３】
2010036535.tif 000015
【図１４】
2010036535.tif 000016